(57)【要約】【課題】ＬＴＥ端末と通信できるデジタル通信システムを提供する。【解決手段】デジタル通信システムは、ＬＴＥ端末３０と、前記ＬＴＥ端末３０が無線接続するｅＮｏｄｅＢ２０２と、前記ｅＮｏｄｅＢ２０２がＥＰＣ２００を介して接続される通信装置１００と、前記通信装置１００に基地局３００を介して接続する狭帯域端末２０と、を備え、前記通信装置１００は、前記狭帯域端末２０の識別符号が記憶されたテーブル１０８を有する記憶部１０６を有し、前記ＬＴＥ端末２０から送信されるパケットＰは、前記テーブル１０８に基づいて前記狭帯域端末２０に送信される。【選択図】図１
2015216562.tif 000002
【特許請求の範囲】
【請求項１】
ＬＴＥ（Long Term Evolution）端末と、
前記ＬＴＥ端末が無線接続するｅＮｏｄｅＢ（evolved Node B）と、
前記ｅＮｏｄｅＢがＥＰＣ（Evolved Packet Core）を介して接続される通信装置と、
前記通信装置に基地局を介して接続する狭帯域端末と、
を備え、
前記通信装置は、前記狭帯域端末の識別符号が記憶されたテーブルを有する記憶部を有し、
前記ＬＴＥ端末から送信されるパケットは、前記テーブルに基づいて前記狭帯域端末に送信される、
ことを特徴とするデジタル通信システム。
【請求項２】
ＬＴＥ端末と、
前記ＬＴＥ端末が無線接続するｅＮｏｄｅＢと、
前記ｅＮｏｄｅＢがＥＰＣ（Evolved Packet Core）を介して接続される通信装置と、
前記通信装置に基地局を介して接続する狭帯域端末と、
を備え、
前記ＬＴＥ端末から送信されるパケットには、ポーリングフラグが含まれ、
前記通信装置は、前記ポーリングフラグに基づいて前記パケットが前記狭帯域端末に送信される
ことを特徴とするデジタル通信システム。
【発明の詳細な説明】
【技術分野】
【０００１】
本発明は、狭帯域端末を備えるデジタル通信システムに関する。
【背景技術】
【０００２】
従来の地域防災無線システムは、統制局と子局を備え、統制局が子局に対して、一斉指令を送信し、一斉指令を受信した子局は一斉指令の内容に基づいて、同報発信を行うシステムである（特許文献１参照）。
【先行技術文献】
【特許文献】
【０００３】
【特許文献１】特開２００５−１０１７２７号公報
【発明の概要】
【発明が解決しようとする課題】
【０００４】
しかしながら、従来の地域防災無線システムの子局は、狭帯域デジタル通信方式であって、統制局以外の外部の端末と通信することが考慮されていなかった。
【０００５】
本発明は、上記の課題を考慮してなされたものであって、ＬＴＥ（Long Term Evolution）端末と通信できるデジタル通信システムを提供することを目的とする。
【課題を解決するための手段】
【０００６】
本発明に係るデジタル通信システムは、ＬＴＥ（Long Term Evolution）端末と、前記ＬＴＥ端末が無線接続するｅＮｏｄｅＢ（evolved Node B）と、前記ｅＮｏｄｅＢがＥＰＣ（Evolved Packet Core）を介して接続される通信装置と、前記通信装置に基地局を介して接続する狭帯域端末と、を備え、前記通信装置は、前記狭帯域端末の識別符号が記憶されたテーブルを有する記憶部を有し、前記ＬＴＥ端末から送信されるパケットは、前記テーブルに基づいて前記狭帯域端末に送信される、ことを特徴とする。
【０００７】
本発明に係るデジタル通信システムは、ＬＴＥ端末と、前記ＬＴＥ端末が無線接続するｅＮｏｄｅＢと、前記ｅＮｏｄｅＢがＥＰＣ（Evolved Packet Core）を介して接続される通信装置と、前記通信装置に基地局を介して接続する狭帯域端末と、を備え、前記ＬＴＥ端末から送信されるパケットには、ポーリングフラグが含まれ、前記通信装置は、前記ポーリングフラグに基づいて前記パケットが前記狭帯域端末に送信されることを特徴とする。
【発明の効果】
【０００８】
本発明のデジタル通信システムによれば、記憶部にテーブルを設けることにより、ＬＴＥ端末と狭帯域端末との間で任意のパケットの送受信による通信が可能となる。また、ＬＴＥ端末が狭帯域端末にポーリングフラグを含むパケットを送信することにより、狭帯域端末の動作状況やセンサにより取得した情報を得ることができる。
【図面の簡単な説明】
【０００９】
【図１】本発明の実施形態に係るデジタル通信システムの説明図である。
【図２】記憶部が備えるテーブルの説明図である。
【図３】デジタル通信システムの通常通信の処理手順についての説明図である。
【図４】デジタル通信システムのポーリングの処理手順についての説明図である。
【発明を実施するための形態】
【００１０】
以下、本発明の実施形態について図面を参照して説明する。図１は、本発明の実施形態に係るデジタル通信システム１０の説明図である。図２は、記憶部１０６が備えるテーブル１０８の説明図である。
【００１１】
＜デジタル通信システム１０の構成の説明＞
デジタル通信システム１０は、狭帯域端末２０ａ〜２０ｃ、ＬＴＥ端末３０、通信装置１００、ＥＰＣ（Evolved Packet Core）２００、ｅＮｏｄｅＢ（evolved Node B）２０２及び基地局３００を備える。
【００１２】
狭帯域端末２０ａ〜２０ｃ（以下、適宜「狭帯域端末２０」という）は、狭帯域デジタル通信方式で通信する無線通信機である。この無線通信機としては、使用周波数帯が６０ＭＨｚ帯であるデジタル同報無線機、使用周波数帯が２６０ＭＨｚ帯であるデジタル移動無線機が該当する。
【００１３】
ＬＴＥ端末３０は、標準規格団体である３ＧＰＰ(Third Generation Partnership Project)によって定められた通信規格に基づく無線通信機である。
【００１４】
通信装置１００は、制御部１０２、通信部１０４及び記憶部１０６を備える。通信装置１００は、一般には、統制局に設けられる。制御部１０２は、主として、狭帯域端末２０とＬＴＥ端末３０とが通信するための制御を行う制御部である。通信部１０４は、狭帯域端末２０とＬＴＥ端末３０との通信処理を行う。記憶部１０６は、テーブル１０８を備える。
【００１５】
テーブル１０８には、狭帯域端末２０ａ〜２０ｃを識別するための識別符号（ＩＤ）が、狭帯域端末の端末名毎に記憶される。テーブル１０８では、狭帯域端末２０ａに対して、端末名としてＡ、ＩＤとしてＩａが記憶される。同様に、狭帯域端末２０ｂ、２０ｃに対して、端末名としてＢ、Ｃ、ＩＤとしてＩｂ、Ｉｃが記憶される。
【００１６】
ＥＰＣ２００は、コアネットワークである。ｅＮｏｄｅＢ２０２は、ＬＴＥ端末３０が無線接続する基地局である。基地局３００は、狭帯域端末２０ａ〜２０ｃが無線接続する基地局である。
【００１７】
＜デジタル通信システム１０の動作の説明＞
次に、デジタル通信システム１０の動作について、図３、４を用いて説明する。図３は、デジタル通信システム１０の通常通信の処理手順についての説明図である。図４は、デジタル通信システム１０のポーリングの処理手順についての説明図である。
【００１８】
［ＬＴＥ端末３０と狭帯域端末２０との通常の通信］
ＬＴＥ端末３０が狭帯域端末２０ａと通常の通信をする場合について説明する。なお、ＬＴＥ端末３０が狭帯域端末２０ｂ、２０ｃと通信する場合も、ＬＴＥ端末３０が狭帯域端末２０ａと通信する場合と同様の処理手順であるので、その説明を省略する。
【００１９】
まず、ＬＴＥ端末３０は、ｅＮｏｄｅＢ２０２、ＥＰＣ２００を介して、パケットＰを通信装置１００に送信する（ステップＳ１）。ＬＴＥ端末３０から通信装置１００に送信されるパケットＰには、狭帯域端末２０ａのＩＤとしてＩａが含まれている。
【００２０】
通信装置１００の制御部１０２は、通信部１０４を介して、パケットＰを受信し、パケットＰから狭帯域端末２０ａのＩＤとしてＩａを取得する（ステップＳ２）。
【００２１】
制御部１０２は、取得したＩＤであるＩａとテーブル１０８とを照合し、Ｉａに対応する端末名としてＡを取得する（ステップＳ３）。
【００２２】
制御部１０２は、パケットＰに端末名Ａを追記し、追記したパケットＰを狭帯域端末２０ａ〜２０ｃで受信できるデータ形式に変換し、通信部１０４、基地局３００を介して、変換したデータを狭帯域端末２０ａ〜２０ｃに送信する（ステップＳ４）。
【００２３】
狭帯域端末２０ａ〜２０ｃは各々、データを受信し、データから端末名を取得し、自己の端末名と照合する（ステップＳ５）。
【００２４】
狭帯域端末２０ａでは、データから取得した端末名がＡであり、自己の端末名と一致するので、当該データに基づいて、処理がされる（ステップＳ６）。処理として、例えば、音声通報をする。
【００２５】
なお、狭帯域端末２０ａからＬＴＥ端末３０への通信は、ＬＴＥ端末３０の識別符号が書き込まれたデータが狭帯域端末２０ａから基地局３００、通信装置１００、ＥＰＣ２００、ｅＮｏｄｅＢ２０２を介してＬＴＥ端末３０に送信されることにより行われる。
【００２６】
［ＬＴＥ端末３０と狭帯域端末２０とのポーリング通信］
ＬＴＥ端末３０が狭帯域端末２０とポーリング通信をする場合について説明する。
【００２７】
まず、ＬＴＥ端末３０は、ｅＮｏｄｅＢ２０２、ＥＰＣ２００介して、パケットＱを通信装置１００に送信する（ステップＳ１１）。ＬＴＥ端末３０から通信装置１００に送信されるパケットＱには、ポーリングフラグが含まれている。
【００２８】
通信装置１００の制御部１０２は、通信部１０４を介して、パケットＱを受信し、パケットＱからポーリングフラグを取得する（ステップＳ１２）。
【００２９】
制御部１０２は、パケットＱを狭帯域端末２０ａ〜２０ｃで受信できるデータ形式に変換し、通信部１０４、基地局３００を介して、変換したデータを狭帯域端末２０ａ〜２０ｃに送信する（ステップＳ１３）。
【００３０】
狭帯域端末２０ａ〜２０ｃは各々、データを受信し、データからポーリングフラグを取得する（ステップＳ１４）。
【００３１】
狭帯域端末２０ａ〜２０ｃは各々、ポーリングフラグに応じて、所定のデータを基地局３００、通信装置１００、ＥＰＣ２００、ｅＮｏｄｅＢ２０２を介してＬＴＥ端末３０に送信する（ステップＳ１５）。ここで、所定のデータとしては、狭帯域端末２０の動作状況、狭帯域端末２０に設けられているセンサによって取得されたデータである。センサによって取得されたデータとしては、例えば、気温、湿度、雨量、水量である。
【００３２】
ＬＴＥ端末３０は、受信したデータに基づいて、狭帯域端末２０の動作状況やセンサにより取得した情報を得ることができる。
【００３３】
デジタル通信システム１０は、ＬＴＥ端末３０と、前記ＬＴＥ端末３０が無線接続するｅＮｏｄｅＢ２０２と、前記ｅＮｏｄｅＢ２０２がＥＰＣ２００を介して接続される通信装置１００と、前記通信装置１００に基地局３００を介して接続する狭帯域端末２０と、を備え、前記通信装置１００は、前記狭帯域端末２０の識別符号が記憶されたテーブル１０８を有する記憶部１０６を有し、前記ＬＴＥ端末２０から送信されるパケットＰは、前記テーブル１０８に基づいて前記狭帯域端末２０に送信される。
【００３４】
デジタル通信システム１０では、記憶部１０６にテーブル１０８を設けることにより、ＬＴＥ端末３０と狭帯域端末２０との間で任意のパケットの送受信による通信が可能となる。
【００３５】
デジタル通信システム１０は、ＬＴＥ端末３０と、前記ＬＴＥ端末３０が無線接続するｅＮｏｄｅＢ２０２と、前記ｅＮｏｄｅＢ２０２がＥＰＣ２００を介して接続される通信装置１００と、前記通信装置１００に基地局３００を介して接続する狭帯域端末２０と、を備え、前記ＬＴＥ端末３０から送信されるパケットＱには、ポーリングフラグが含まれ、前記通信装置１００は、前記ポーリングフラグに基づいて前記パケットＱが前記狭帯域端末２０に送信される。
【００３６】
デジタル通信システム１０では、ＬＴＥ端末３０が狭帯域端末２０にポーリングフラグを含むパケットＱを送信することにより、狭帯域端末２０の動作状況やセンサにより取得した情報を得ることができる。
【００３７】
なお、本発明は、上述の実施形態に限らず、本発明の要旨を逸脱することなく、種々の構成を採り得ることはもちろんである。
【符号の説明】
【００３８】
１０…デジタル通信システム
２０ａ〜２０ｃ…狭帯域端末
３０…ＬＴＥ端末
１００…通信装置
１０２…制御部
１０４…通信部
１０６…記憶部
１０８…テーブル
２００…ＥＰＣ
２０２…ｅＮｏｄｅＢ
３００…基地局
【図１】
2015216562.tif 000003
【図２】
2015216562.tif 000004
【図３】
2015216562.tif 000005
【図４】
2015216562.tif 000006